(57)【要約】      （修正有）【課題】消費者が手を傷めることなく容易に剥がすことができるように改良された熱収縮性ラベルを提供する。【解決手段】プラスチック容器の側面に装着される熱収縮性ラベルであって、一方の端部１０ａと他方の端部１０ｂを有する基材フィルムを備える。一方の端部１０ａと他方の端部１０ｂは、基材フィルムがチューブを形成するように、重ね合わされている。重ね合わせ部において、一方の端部１０ａと他方の端部１０ｂは、容易に剥がせるように、両者の溶着強度を調整するための溶着調整層１を介在させて溶着されている弱接着部分５１を有する。熱収縮性ラベルをペットボトルから容易に剥がすことができるようになるので、ＰＥＴボトルのリサイクルを効率良く実現できる。【選択図】図１
2008056247.tif 000002
【特許請求の範囲】
【請求項１】
プラスチック容器の側面に装着される熱収縮性ラベルであって、
一方の端部と他方の端部を有する基材フィルムを備え、
前記一方の端部と前記他方の端部は、前記基材フィルムがチューブを形成するように、重ね合わされており、
重ね合わせ部において、前記一方の端部と前記他方の端部は、容易に剥がせるように、両者の溶着強度を調整するための溶着調整層を介在させて溶着されている、熱収縮性ラベル。
【請求項２】
前記溶着調整層は、前記一方の端部と前記他方の端部の重ね合わせ面にドット状に点在しながら、一部つながっている請求項１に記載の熱収縮性ラベル。
【請求項３】
前記基材フィルムには、ミシン目が形成されていない、請求項１又は２に記載の熱収縮性ラベル。
【請求項４】
前記溶着調整層は、アクリル酸およびその誘導体の重合物であるアクリル系樹脂で形成される請求項１から３のいずれか１項に記載の熱収縮性ラベル。
【請求項５】
前記溶着調整層は、ポリエステル又はポリエーテルと、イソシアネートとの重合物であるポリウレタン系樹脂で形成される請求項１から５のいずれか１項に記載の熱収縮性ラベル。
【請求項６】
前記溶着調整層の厚みは、０．２μｍ〜２．０μｍである請求項１から５のいずれか１項に記載の熱収縮性ラベル。
【請求項７】
プラスチック容器の側面に装着される熱収縮性ラベルであって、
一方の端部と他方の端部を有する基材フィルムを備え、
前記一方の端部と前記他方の端部はチューブを形成するように、前記一方の端部を上にして重ね合わされて接着されており、
重ね合わせ部の接着部分は、前記一方の端部の先端側に位置する、弱く接着された弱接着部分と、前記他方の端部の先端側に位置する、強く接着された強接着部分とを含み、
前記重ね合わせ部の前記弱接着部分は、センターシール強度が０．２Ｎ／１０ｍｍ〜１．２Ｎ／１０ｍｍになるように溶着されており、
前記重ね合わせ部の前記強接着部分は、センターシール強度が１．５Ｎ／１０ｍｍ〜１２．０Ｎ／１０ｍｍになるように溶着されている、熱収縮性ラベル。
【請求項８】
前記基材フィルムの前記弱接着部分には、ボトルに装着した時の、ボトル胴体の周方向に、ミシン目が形成されている、請求項７に記載の熱収縮性ラベル。
【請求項９】
プラスチック容器の側面に装着される熱収縮性ラベルの製造方法であって、
一方の端部と他方の端部を有する基材フィルムを準備する工程と、
前記他方の端部の表面に、溶着強度を調整するための溶着調整層を形成する工程と、
前記基材フィルムを折り曲げて、前記他方の端部の表面上に前記溶着調整層を介在させて前記一方の端部を重ね合わさ、重ね合わせ部分をシール溶剤又は接着剤を用いて接着する工程と、を備えた熱収縮性ラベルの製造方法。
【請求項１０】
グラビア印刷時に前記溶着調整層を同時に形成する請求項９に記載の熱収縮性ラベルの製造方法。
【請求項１１】
その胴部外周に、印刷を施したプラスチックフィルムからなる熱収縮性ラベルが巻きつけられたプラスチックボトルであって、
前記熱収縮性ラベルの一方の端部と他方の端部は重ね合わされており、
重ね合わせ部において、前記一方の端部と前記他方の端部は、容易に剥がせるように、両者の溶着強度を調整するための溶着調整層を介在させて溶着されているプラスチックボトル。
【発明の詳細な説明】
【技術分野】
【０００１】
本発明は一般に熱収縮性ラベルに関するものであり、より特定的には、ミシン目を施すことなく、容易に容器から剥離できるように改良された熱収縮性ラベルに関する。この発明はまたそのような熱収縮性ラベルの製造方法に関する。この発明はまた、そのような熱収縮性ラベルが胴部外周に装着されたプラスチックボトルに関する。
【背景技術】
【０００２】
近年、ＰＥＴボトル飲料の普及に伴い、各飲料メーカからは様々な商品が販売されている。これらＰＥＴボトル飲料は、他社との違いを明確にするために、また消費者層に対するイメージをよくするためなどの目的で、デザイン性を重視したラベルで装飾されている。
【０００３】
ＰＥＴボトル用の熱収縮性ラベルとしては、ポリエステル系収縮フィルム又はポリスチレン系収縮フィルムを基材としたものが知られている。また、ＰＥＴボトルのリサイクル性の点から、熱収縮性ラベルにミシン目を施し、消費者が容易に容器からラベルを剥がせるようにしたものが多くなっている。
【０００４】
しかしながら、ＰＥＴボトルの軽量化（薄膜化）が進む中、不注意によりＰＥＴボトルを落とした場合に、ラベルがミシン目から破れるという問題が起こっている。これは、特にポリスチレン系収縮性フィルムをラベルの基材として用いた場合に起こりやすい。また、反対に、ポリエステル系収縮性フィルムをラベルの基材とした場合には、落下によってミシン目が破れることはないが、消費者がミシン目に沿ってラベルを剥がそうとしても破れにくく、無理に剥がそうとすると指先を痛めるといった問題も起こっている。
【０００５】
このような問題を解決するために、特許文献１は、図８、図９および図１０に示すような熱収縮性フィルムを提案している。これらの図を参照して、熱収縮性ラベルは、１枚の熱収縮性フィルム１０の両端部分が重ね合わされて接合された重ね合わせ部１１を有するチューブ状のフィルム１０を、ガラス瓶やプラスチックボトル等の容器２０の外周面に装着し、熱収縮して容器に密着させて用いる。この従来技術の特徴点は、重ね合わせ部１１の一部に未接合部分１２が形成されている点である。
【０００６】
熱収縮性ラベルの重ね合わせ部に未接合部分１２があるため、この未接合部分１２の先端を持って引っ張ることにより容易に容器から熱収縮性ラベルを分離することができるというのである。
【０００７】
このようなラベルは、熱収縮性フィルムの溶剤塗布部分をもう一方の溶剤が塗布されていない方の端縁と重ね合わせて、スリーブ状に加工し、製品である熱収縮性ラベル用スリーブ１５に巻き取ったものから、１枚ずつチューブ状の熱収縮性ラベルに断裁し、ペットボトル等の容器２０の胴部に装着する。
【０００８】
【特許文献１】特開２００４−２１２７５８号公報
【発明の開示】
【発明が解決しようとする課題】
【０００９】
未接合部分を設けて剥がれ易くする従来の熱収縮性ラベルは以上のように構成されている。
【００１０】
しかしながら、図８を参照して、未接合部分１２を除く他の重なり部分１１はやはり、強力に接合されているので、剥がそうとしても剥がれ難く、無理に剥がそうとすると、やはり手を痛めるという課題があった。
【００１１】
また、輸送中に、未接合部分１２が捲れ、フィルムの尖り部分が現れ、手がこれに触れると怪我をするという課題もあった。
【００１２】
本発明は、このような問題点を解決するためになされたもので、消費者が容易に剥がすことができるように改良された熱収縮性ラベルを提供することを目的とする。
【００１３】
本発明の他の目的は、ボトルの落下によるラベルの破れ等を生じさせない熱収縮性ラベルを提供することにある。
【００１４】
本発明のさらに他の目的は、そのような熱収縮性ラベルの製造方法を提供することにある。
【００１５】
本発明のさらに他の目的は、そのような熱収縮性ラベルが胴部外周に装着されたプラスチックボトルを提供することにある。
【課題を解決するための手段】
【００１６】
本発明は，プラスチック容器の側面に装着される熱収縮性ラベルであって、一方の端部と他方の端部を有する基材フィルムを備える。上記一方の端部と上記他方の端部は、上記基材フィルムがチューブを形成するように、重ね合わされている。重ね合わせ部において、上記一方の端部と上記他方の端部は、容易に剥がせるように、両者の溶着強度を調整するための溶着調整層を介在させて溶着されている。
【００１７】
重ね合わせ部において、上記一方の端部と上記他方の端部は、容易に剥がせるように、両者の溶着強度を調整するための溶着調整層を介在させて溶着されているので、消費者は手を傷めることなく容易に剥がすことができるようになる。
【００１８】
上記溶着調整層は、上記一方の端部と上記他方の端部の重ね合わせ面にドット状に点在しているのが好ましい。このように構成すると、接合力がさらに弱くなり、さらに剥がれ易くなる。なお、
【００１９】
上記基材フィルムには、ミシン目が形成されていない。これにより、ボトルが落下してもラベルの破れ等の問題は生じない。本発明では、ミシン目がなくても、上記一方の端部と上記他方の端部は、容易に剥がせるので、ＰＥＴボトル等の容器から容易に取り外せる。
【００２０】
上記溶着調整層は、アクリル酸およびその誘導体の重合物であるアクリル系樹脂で形成されるのが好ましい。
【００２１】
上記溶着調整層は、ポリエステル又はポリエーテルと、イソシアネートとの重合物であるポリウレタン系樹脂で形成されてもよい。
【００２２】
上記溶着調整層の厚みは、０．２μｍ〜１．２μｍであるのが好ましい。
【００２３】
この発明の他の局面に従う、プラスチック容器の側面に装着される熱収縮性ラベルは、一方の端部と他方の端部を有する基材フィルムを備える。上記一方の端部と上記他方の端部はチューブを形成するように、上記一方の端部を上にして重ね合わされて接着されている。重ね合わせ部の接着部分は、上記一方の端部の先端側に位置する、弱く接着された弱接着部分と、上記他方の端部の先端側に位置する、強く接着された強接着部分とを含む。上記重ね合わせ部の上記弱接着部分は、センターシール強度が０．２Ｎ／１０ｍｍ〜１．２Ｎ／１０ｍｍになるように溶着されている。上記重ね合わせ部の上記強接着部分は、センターシール強度が１．５Ｎ／１０ｍｍ〜１２．０Ｎ／１０ｍｍになるように溶着されている。
【００２４】
上記重ね合わせ部の上記弱接着部分は、センターシール強度が０．２Ｎ／１０ｍｍ〜１．２Ｎ／１０ｍｍになるように溶着されているので、接着力は小さく、消費者は手を傷めることなく、この部分で容易に剥がすことができるようになる。
【００２５】
上記基材フィルムの上記弱接着部分には、ボトルに装着した時の、ボトル胴体の周方向に、ミシン目が形成されているのが好ましい。このように構成すると、剥がすことがさらに容易となる。
【００２６】
この発明の他の局面に従う方法は、プラスチック容器の側面に装着される熱収縮性ラベルの製造方法であって、まず、一方の端部と他方の端部を有する基材フィルムを準備する。上記一方の端部の表面に、溶着強度を調整するための溶着調整層を形成する。上記基材フィルムを折り曲げて、上記一方の端部の表面に上記溶着調整層を介在させて上記他方の端部を重ね合わさ、重ね合わせ部分をシール溶剤又は接着剤を用いて接着する。
【００２７】
上記基材フィルムを折り曲げて、上記一方の端部の表面に上記溶着調整層を介在させて上記他方の端部を重ね合わせ、重ね合わせ部分をシール溶剤又は接着剤を用いて溶着するので、容易に剥がすことができる熱収縮性ラベルが得られる。
【００２８】
本発明のさらに他の局面に従うプラスチックボトルは、その胴部外周に、印刷を施したプラスチックフィルムからなる熱収縮性ラベルが巻きつけられたプラスチックボトルに係る。上記熱収縮性ラベルの一方の端部と他方の端部は重ね合わされており、重ね合わせ部において、上記一方の端部と上記他方の端部は、容易に剥がせるように、両者の溶着強度を調整するための溶着調整層を介在させて溶着されている。
【００２９】
重ね合わせ部において、上記一方の端部と上記他方の端部は、容易に剥がせるように、両者の溶着強度を調整するための溶着調整層を介在させて溶着されているので、消費者は手を傷めることなく熱収縮性ラベルをプラスチックボトルから容易に剥がすことができるようになる。
【００３０】
上記熱収縮性ラベルには、ミシン目が形成されていない。これにより、ボトルが落下してもラベルの破れ等の問題は生じない。本発明では、ミシン目がなくても、熱収縮性ラベルを、容易に剥がせるので、ＰＥＴボトル等のプラスチックボトルから容易に熱収縮性ラベルを取り外せる。
【発明の効果】
【００３１】
本発明によれば、熱収縮性ラベルをペットボトルから容易に剥がすことができるようになるので、ＰＥＴボトルのリサイクルを効率良く実現できる。
【発明を実施するための最良の形態】
【００３２】
消費者が手を傷めることなく容易に剥がすことができるように改良された熱収縮性ラベルを得るという目的を、重ね合わせ部において、一方の端部と他方の端部を、容易に剥がせるように、両者の溶着強度を調整するための溶着調整層を介在させて溶着させるということによって実現した。
【００３３】
以下、本発明の実施例を添付図面を参照して説明する。
【実施例１】
【００３４】
図１は、本発明にかかる熱収縮性ラベルの斜視図である。図２は、熱収縮性ラベルの重なり部分１１における部分拡大断面図である。
【００３５】
これらの図を参照して、熱収縮性ラベルは、一方の端部１０ａと他方の端部１０ｂを有する基材フィルム１０を備える。一方の端部１０ａと他方の端部１０ｂはチューブを形成するように、一方の端部１０ａを上にして重ね合わされて接着されている。重ね合わせ部の接着部分は、一方の端部１０ａの先端側に位置する、弱く接着された弱接着部分５１と、他方の端部１０ｂの先端側に位置する、強く接着された強接着部分５２とを含む。具体的には、重ね合わせ部の、一方の端部１０ａの先端側は、容易に剥がせるように、両者の溶着強度を調整するための溶着調整層１を介在させて溶着されている。
【００３６】
図中、ジグザグで表した部分は溶着部分を示している。重なり部分の幅Ｗは５ｍｍ〜７ｍｍである。強接着部分５２の幅は３〜４ｍｍであり、弱接着部分５１の幅は２〜３ｍｍである。基材フィルム１１の裏面（装着の際、ボトル表面に接する面）には、文字、絵柄等がグラビア印刷により、印刷されている。
【００３７】
重ね合わせ部の弱接着部分５１が、溶着調整層１を介在させて弱く溶着されているので、この弱接着部分５１から、消費者は手を傷めることなく容易に剥がすことができるようになる。
【００３８】
溶着調整層の樹脂成分としては、アクリル酸およびその誘導体の重合物であるアクリル系樹脂、ポリエステル又はポリエーテルとイソシアネートとの重合物であるポリウレタン系樹脂などが例示できる。
【００３９】
必要に応じて、滑剤や粒子状物を添加してもよい。
【００４０】
滑剤としては、ポリエチレンワックス、パラフィン、又はエチレンーアクリル酸共重合体ワックス等の合成ワックスやワセリン、漆ロウ又はカルナバワックスなどの天然ワックスが例示できる。
【００４１】
粒子状物としては、シリカ、タルク、雲母又は酸化チタンなどの無機粒子やポリメタクリル酸エステル又はポリスチレン等の有機粒子が例示できる。
【００４２】
溶着調整層の厚みは、０．２μｍ〜２．０μｍであり、より好ましくは０．５μｍ〜１．０μｍである。
【００４３】
この程度の厚みであると、後述するセンターシール溶剤により湿潤した溶着調整層が接着剤と同様の作用をし接着力が発現しても、強度は弱いものとなる（この部分を便宜上、擬似接着部分と呼ぶ）。
【００４４】
基材フィルムとしては、ポリエステル系熱収縮性フィルム、ポリスチレン系熱収縮性フィルムが好ましく用いられる。膜厚は約５０μｍである。
【００４５】
センターシール強度について説明すると、ポリエステル系熱収縮性フィルム同士をセンターシール溶剤で溶着すると、センターシール強度は３．５Ｎ／１０ｍｍ〜１０Ｎ／１０ｍｍとなる。ポリスチレン系熱収縮性フィルム同士をセンターシール溶剤で溶着すると、センターシール強度は３．５Ｎ／１０ｍｍ〜８．６Ｎ／１０ｍｍとなる。
【００４６】
本発明に係る熱収縮性ラベルにおいて、重ね合わせ部の弱接着部分５１は、センターシール強度が０．２Ｎ／１０ｍｍ〜１．２Ｎ／１０ｍｍになるように溶着されている。この程度の擬似接着強度があると、収縮装着の際に、捲くれあがることはなく、また輸送時にシール部が擦れ合った時に、剥がれることはない。重ね合わせ部の強接着部分５２は、センターシール強度が１．５Ｎ／１０ｍｍ〜１２．０Ｎ／１０ｍｍになるように溶着されている。
【実施例２】
【００４７】
次に、本発明にかかる熱収縮性ラベルの製造方法について説明する。
【００４８】
図３を参照して、まず、一方の端部１０ａと他方の端部１０ｂを有する基材フィルム１１を準備する。他方の端部１０ｂの表面に、接着剤供給部３０より接着剤を供給し、溶着強度を調整するための溶着調整層１を形成する。溶着調整層１は、文字、絵柄等を印刷する工程で同時に塗布する。
【００４９】
印刷条件は次の通りである。
グラビア印刷で行い、グラビア版はレーザ製版で、版深１２μｍ〜２６μｍである。溶着調整層には１７μｍが最適である（塗布厚み０．７μｍ）、インキ粘度は１７．０秒（ザーンカップ＃３）、乾燥温度は４０℃〜６０℃、印刷速度は８０ｍ／分〜１５０ｍ／分である。
【００５０】
次に、図４を参照して、基材フィルムを折り曲げて、他方の端部１０ｂの表面および一方の端部１０ａの裏面に、シール溶剤供給部３１よりシール溶剤を供給する。次に、他方の端部１０ｂの表面上に設けられた溶着調整層１の上に、一方の端部１０ａの裏面を重ね合わせる。図５は、重なり部分の部分拡大図である。その後、２個のローラ３２ａ、３２ｂの間に挿入し、圧着する。圧着時、シール溶剤２により基材フィルム１１が湿潤し、基材フィルム同士が溶着し、強接着部分が形成される。一方、溶着調整層１が接着剤と同様の作用をし接着力が発現するが、その強度は弱いものとなり、弱接着部分が形成される。
【００５１】
センターシール溶剤は、基材フィルムにポリエステル系熱収縮性フィルムを使用する場合、１，３ジオキソラン又はテトラヒドロフランが好ましい、またポリスチレン系熱収縮性フィルムを使用する場合は、テトラヒドロフラン又はメチルエチルケトンが好ましい。なお、センターシール溶剤を用いるのが好ましいが、接着剤で接着することも可能である。
【００５２】
センターシール条件は、速度：７０から１６０ｍ／分、シール幅：３ｍｍ〜５ｍｍ、溶剤塗布量：２ｇ／ｍ〜３ｇ／ｍである。
【００５３】
次に、スリーブ状に加工し、製品である熱収縮性ラベル用スリーブ１５に巻き取る（図９参照）。なお、巻き取らずに、断裁して枚葉式熱収縮性ラベル用スリーブとしても良い。
【００５４】
つぎに、出来上がった熱収縮性ラベル用スリーブ１５の巻き取りから、ペットボトル等の容器に熱収縮性ラベルを装着するまでの工程の一例を簡単に説明する。
【００５５】
先ず、熱収縮性ラベル用スリーブの巻き取りをラベル装着機にセットして、１枚ずつのチューブ状の熱収縮性ラベルに断裁し、ペットボトル等の容器の胴部に装着する。
装着した容器をシュリンクトンネルに通して、スリーブを収縮させてラベルを容器に密着させ、熱収縮性ラベルを密着させた容器が出来上がる。容器への内容物の充填は、容器に熱収縮性ラベルを装着する前に行っても良いし、シュリンクトンネルを通して収縮させた後に行っても良い。
【実施例３】
【００５６】
図６は、実施例３に係る熱収縮性ラベルの重なり部分における平面図である。
【００５７】
本実施例では、溶着調整層１は、一方の端部１０ａと他方の端部１０ｂの重ね合わせ面にドット状に点在して設けられる。このように構成すると、接合力がさらに弱くなり、さらに剥がれ易くなる。なお、実際には、重ね合わせ部分で圧着するので、隣り合う溶着調整層１が図のように互いにつながることがある。
【実施例４】
【００５８】
図７（Ａ）は、実施例４に係る熱収縮性ラベルの斜視図であり、図７（Ｂ）は、そのＡ部拡大図である。図１に示される熱収縮性ラベルと同一部分には同一の参照番号を付し、その説明を繰り返さない。本実施例では、基材フィルムの弱接着部分５１には、ボトルに装着した時の、ボトル胴体の周方向に、ミシン目５３が形成されている。このように構成すると、ミシン目５３の挟まれた部分から、剥がすことがさらに容易となる。
【００５９】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６０】
本発明によれば、熱収縮性ラベルをペットボトルから容易に剥がすことができるようになるので、ＰＥＴボトルのリサイクルを効率良く実現できる。
【図面の簡単な説明】
【００６１】
【図１】実施例１にかかる熱収縮性ラベルの斜視図である。
【図２】実施例１にかかる熱収縮性ラベルの重なり部分における部分拡大断面図である。
【図３】実施例２に係る熱収縮性ラベルの製造方法の第１の工程における斜視図である。
【図４】実施例２に係る熱収縮性ラベルの製造方法の第２の工程における斜視図である。
【図５】実施例２に係る熱収縮性ラベルの製造方法を説明するための重なり部分における部分拡大断面図である。
【図６】実施例３に係る熱収縮性ラベルの重なり部分における平面図である。
【図７】（Ａ）  実施例４に係る熱収縮性ラベルの斜視図である。    （Ｂ）  図７（Ａ）におけるＡ部拡大図である。
【図８】従来の熱収縮性ラベルの斜視図である。
【図９】従来の熱収縮性ラベルが連続して作成されている熱収縮性ラベル用スリーブの斜視図である。
【図１０】従来の熱収縮性ラベルを容器に装着した使用状態を示す図である。
【符号の説明】
【００６２】
１        溶着調整層
２        シール溶剤
１０      基材フィルム
１０ａ    一方の端部
１０ｂ    他方の端部
１１      重ね合わせ部
１２      未接合部分
１５      熱収縮性ラベル用スリーブ
２０      容器
３０      接着剤供給部
３１      シール溶剤供給部
３２ａ，３２ｂ   ローラ
５１      弱接着部分
５２      強接着部分
５３      ミシン目
Ｗ        シール幅
【図１】
2008056247.tif 000003
【図２】
2008056247.tif 000004
【図３】
2008056247.tif 000005
【図４】
2008056247.tif 000006
【図５】
2008056247.tif 000007
【図６】
2008056247.tif 000008
【図７】
2008056247.tif 000009
【図８】
2008056247.tif 000010
【図９】
2008056247.tif 000011
【図１０】
2008056247.tif 000012